【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
動画像の画像データを取得する撮影部と、
前記動画像の画像データから、所定ピクチャ毎に、サムネイル画像の画像データを作成するサムネイル画像作成部と、
前記動画像の画像データ、前記サムネイル画像の画像データを記録媒体に記録する記録部と、
前記記録部における前記記録媒体への転送レートの低下により、前記サムネイル画像の画像データの前記記録媒体への記録を中止させる制御部とを備える
撮像装置。
【請求項２】
動画像の画像データを取得する画像データ取得部と、
前記動画像の画像データから、所定ピクチャ毎に、サムネイル画像の画像データを作成するサムネイル画像作成部と、
前記動画像の画像データ、前記サムネイル画像の画像データを記録媒体に記録する記録部と、
前記記録部における前記記録媒体への転送レートの低下により、前記サムネイル画像の画像データの前記記録媒体への記録を中止させる制御部とを備える
画像処理装置。
【請求項３】
前記記録媒体から前記動画像の画像データを再生する再生部を備え、
前記サムネイル画像作成部、前記記録部は、
前記制御部の制御により動作を切り換えて補完処理を実行し、
前記サムネイル画像作成部は、
前記補完処理において、前記再生部で再生した前記動画像の画像データから、前記サムネイル画像の画像データを作成し、
前記記録部は、
前記補完処理において、前記サムネイル画像の画像データの前記記録媒体への記録を中止した箇所に、前記サムネイル画像作成部で作成したサムネイル画像の画像データを記録する
請求項２に記載の画像処理装置。
【請求項４】
前記記録部は、
前記サムネイル画像の画像データの前記記録媒体への記録を中止する箇所に、空き領域を形成する
請求項３に記載の画像処理装置。
【請求項５】
前記記録部は、
前記サムネイル画像の画像データ及び前記空き領域毎に、管理データを設けて前記サムネイル画像の画像データを記録すると共に、前記空き領域を形成し、
前記管理データに、空き領域か否かを示す識別情報を設定する
請求項４に記載の画像処理装置。
【請求項６】
前記記録部は、
対応する前記動画像の画像データのフレームを特定する情報を、前記管理データに設定する
請求項４に記載の画像処理装置。
【請求項７】
前記制御部は、
動作モードの切り換えにより、前記記録部における前記サムネイル画像の記録を全て中止させる
請求項２に記載の画像処理装置。
【請求項８】
前記サムネイル画像作成部は、
前記制御部の制御により、前記サムネイル画像の画サイズを切り換える
請求項２に記載の画像処理装置。
【請求項９】
前記サムネイル画像作成部は、
前記制御部の制御により、第１の画サイズと、前記第１の画サイズより大きな第２の画サイズとで画サイズを切り換えて前記サムネイル画像の画像データを作成し、
前記サムネイル画像作成部、前記記録部は、
前記制御部の制御により動作を切り換え、
前記再生部で再生した前記動画像の画像データから、前記第２の画サイズのサムネイル画像の画像データを作成し、
前記第１の画サイズのサムネイル画像の画像データを、前記第２の画サイズのサムネイル画像の画像データで置き換えるように、前記サムネイル画像作成部で作成した前記第２の画サイズのサムネイル画像の画像データを前記記録媒体に記録する
請求項３に記載の画像処理装置。
【請求項１０】
動画像の画像データを取得する画像データ取得のステップと、
前記動画像の画像データから、所定ピクチャ毎に、サムネイル画像の画像データを作成するサムネイル画像作成のステップと、
前記動画像の画像データ、前記サムネイル画像の画像データを記録媒体に記録する記録のステップと、
前記記録のステップにおける前記記録媒体への転送レートの低下により、前記サムネイル画像の画像データの前記記録媒体への記録を中止させる制御のステップとを備える
画像処理方法。
【請求項１１】
動画像の画像データを取得する画像データ取得のステップと、
前記動画像の画像データから、所定ピクチャ毎に、サムネイル画像の画像データを作成するサムネイル画像作成のステップと、
前記動画像の画像データ、前記サムネイル画像の画像データを記録媒体に記録する記録のステップと、
前記記録のステップにおける前記記録媒体への転送レートの低下により、前記サムネイル画像の画像データの前記記録媒体への記録を中止させる制御のステップとを備える
画像処理方法のプログラム。
【請求項１２】
動画像の画像データを記録媒体に記録する画像処理方法のプログラムを記録した記録媒体において、
前記画像処理方法のプログラムは、
前記動画像の画像データを取得する画像データ取得のステップと、
前記動画像の画像データから、所定ピクチャ毎に、サムネイル画像の画像データを作成するサムネイル画像作成のステップと、
前記動画像の画像データ、前記サムネイル画像の画像データを記録媒体に記録する記録のステップと、
前記記録のステップにおける前記記録媒体への転送レートの低下により、前記サムネイル画像の画像データの前記記録媒体への記録を中止させる制御のステップとを備える
画像処理方法のプログラムを記録した記録媒体。
【請求項１３】
動画像の画像データと、前記動画像の画像データの所定ピクチャ毎のサムネイル画像の画像データとを取得する画像データ取得部と、
前記動画像の画像データから、前記ピクチャ毎に、サムネイル画像の画像データを作成するサムネイル画像作成部と、
前記画像データ取得部で取得した前記動画像の画像データ、前記サムネイル画像の画像データを記録媒体に記録する記録部とを備え、
前記動画像の画像データに対する前記サムネイル画像の欠落を検出し、
該サムネイル画像が欠落した箇所に、前記サムネイル画像作成部で作成した前記サムネイル画像の画像データを割り当てて、前記動画像の画像データ及び前記サムネイル画像の画像データを記録する
画像処理装置。
【請求項１４】
動画像の画像データと、前記動画像の画像データの所定ピクチャ毎のサムネイル画像の画像データとを取得する画像データ取得ステップと、
前記動画像の画像データから、前記ピクチャ毎に、サムネイル画像の画像データを作成するサムネイル画像作成ステップと、
前記画像データ取得ステップで取得した前記動画像の画像データ、前記サムネイル画像の画像データを記録媒体に記録する記録ステップとを備え、
前記動画像の画像データに対する前記サムネイル画像の欠落を検出し、
該サムネイル画像が欠落した箇所に、前記サムネイル画像作成ステップで作成した前記サムネイル画像の画像データを割り当てて、前記動画像の画像データ及び前記サムネイル画像の画像データを記録する
画像処理方法。
【請求項１５】
動画像の画像データと、前記動画像の画像データの所定ピクチャ毎のサムネイル画像の画像データとを取得する画像データ取得ステップと、
前記動画像の画像データから、前記ピクチャ毎に、サムネイル画像の画像データを作成するサムネイル画像作成ステップと、
前記画像データ取得ステップで取得した前記動画像の画像データ、前記サムネイル画像の画像データを記録媒体に記録する記録ステップとを備え、
前記動画像の画像データに対する前記サムネイル画像の欠落を検出し、
該サムネイル画像が欠落した箇所に、前記サムネイル画像作成ステップで作成した前記サムネイル画像の画像データを割り当てて、前記動画像の画像データ及び前記サムネイル画像の画像データを記録する
画像処理方法のプログラム。
【請求項１６】
動画像の画像データを記録媒体に記録する画像処理方法のプログラムを記録した記録媒体において、
前記動画像の画像データと、前記動画像の画像データの所定ピクチャ毎のサムネイル画像の画像データとを取得する画像データ取得ステップと、
前記動画像の画像データから、前記ピクチャ毎に、サムネイル画像の画像データを作成するサムネイル画像作成ステップと、
前記画像データ取得ステップで取得した前記動画像の画像データ、前記サムネイル画像の画像データを記録媒体に記録する記録ステップとを備え、
前記動画像の画像データに対する前記サムネイル画像の欠落を検出し、
該サムネイル画像が欠落した箇所に、前記サムネイル画像作成ステップで作成した前記サムネイル画像の画像データを割り当てて、前記動画像の画像データ及び前記サムネイル画像の画像データを記録する
画像処理方法のプログラムを記録した記録媒体。
【手続補正２】
【補正対象書類名】明細書
【補正対象項目名】００１２
【補正方法】変更
【補正の内容】
【００１２】
また請求項１２の発明は、動画像の画像データを記録媒体に記録する画像処理方法のプログラムを記録した記録媒体に適用して、前記画像処理方法のプログラムは、前記動画像の画像データを取得する画像データ取得のステップと、前記動画像の画像データから、所定ピクチャ毎に、サムネイル画像の画像データを作成するサムネイル画像作成のステップと、前記動画像の画像データ、前記サムネイル画像の画像データを記録媒体に記録する記録のステップと、前記記録のステップにおける前記記録媒体への転送レートの低下により、前記サムネイル画像の画像データの前記記録媒体への記録を中止させる制御のステップとを備えるようにする。
【手続補正３】
【補正対象書類名】明細書
【補正対象項目名】００１６
【補正方法】変更
【補正の内容】
【００１６】
また請求項１６の発明は、動画像の画像データを記録媒体に記録する画像処理方法のプログラムを記録した記録媒体に適用して、前記動画像の画像データと、前記動画像の画像データの所定ピクチャ毎のサムネイル画像の画像データとを取得する画像データ取得ステップと、前記動画像の画像データから、前記ピクチャ毎に、サムネイル画像の画像データを作成するサムネイル画像作成ステップと、前記画像データ取得ステップで取得した前記動画像の画像データ、前記サムネイル画像の画像データを記録媒体に記録する記録ステップとを備え、前記動画像の画像データに対する前記サムネイル画像の欠落を検出し、該サムネイル画像が欠落した箇所に、前記サムネイル画像作成ステップで作成した前記サムネイル画像の画像データを割り当てて、前記動画像の画像データ及び前記サムネイル画像の画像データを記録する。